(57)【要約】【課題】本発明の課題は、穴を開ける作業と配管の設置作業を同時に行え、また施工に必要なスペースをより小さくすることができる細径ケーブル用壁貫通配管の敷設工法を提供することにある。【解決手段】本発明は、壁に開けた穴に細径ケーブル用配管を敷設する細径ケーブル用壁貫通配管の敷設工法において、先端が尖った穿孔部１０と後端の頭部１８との間に管路部１５が分離可能にして一体に設けられた敷設工具を壁に貫通するまで挿入する第１のステップと、前記第１のステップの後、前記穿孔部１０及び頭部１８を分離除去して前記管路部１５を壁内に残す第２のステップとを具備することを特徴とする。【選択図】図１
2006177465.tif 000002
【特許請求の範囲】
【請求項１】
壁に開けた穴に細径ケーブル用配管を敷設する細径ケーブル用壁貫通配管の敷設工法において、先端が尖った穿孔部と後端の頭部との間に管路部が分離可能にして一体に設けられた敷設工具を壁に貫通するまで挿入する第１のステップと、
前記第１のステップの後、前記穿孔部及び頭部を分離除去して前記管路部を壁内に残す第２のステップと
を具備することを特徴とする細径ケーブル用壁貫通配管の敷設工法。
【請求項２】
第１のステップとして、頭部を打撃して敷設工具を壁に貫通するまで挿入し、
第２のステップとして、壁内に残した管路部の両端開口部を径が大きくなるように広げることを特徴とする請求項１に記載の細径ケーブル用壁貫通配管の敷設工法。
【請求項３】
第１のステップとして、穿孔部の先端部及び管路部の外周に設けた雄ネジを壁に貫通するまで螺入することを特徴とする請求項１に記載の細径ケーブル用壁貫通配管の敷設工法。
【請求項４】
先端部が尖った軸の後端部にネジ部が設けられた穿孔部と、
前記穿孔部の軸が挿入される筒状の管路部と、
前記穿孔部のネジ部に螺入されるネジ部が設けられた頭部と
を具備することを特徴とする細径ケーブル用壁貫通配管の敷設工具。
【請求項５】
軸の先端部に設けられ、円錐体の外周に雄ネジが設けられた穿孔部と、
前記穿孔部の軸に回転できないように挿入され、外周に雄ネジが設けられた筒状の管路部と、
前記穿孔部の軸の後端部に回転できないように取り付けられる頭部と
を具備することを特徴とする細径ケーブル用壁貫通配管の敷設工具。
【発明の詳細な説明】
【技術分野】
【０００１】
本発明は、主にビル内、住宅内等の建物内における情報通信のためのケーブルの配線施工において、壁に開けた穴に細径ケーブル用配管を敷設する細径ケーブル用壁貫通配管の敷設工法及び工具に関するものである。
【背景技術】
【０００２】
近年、情報通信の高度化、高速化に伴い、ビル内や住宅内への光配線の必要性が増大している。既築の建築物にケーブルを布設する場合、専用の配管が予め設置してあることは少なく、多くの場合、露出配線かモール等を用いて配線することになる。
【０００３】
上記において、特に部屋と部屋とを接続するために壁を通して配線する場合、ドリル等で壁に穴を開けた後、通線のための配管を通すという工程を踏むことが多い。このような配管の例として特許文献１に記載されたものがある。
【特許文献１】特許第３４５１２２２号公報
【発明の開示】
【発明が解決しようとする課題】
【０００４】
従来の壁面に穴を開けた後、配管を通すという工法ではドリル作業と配管の設置作業という２段階の作業が必要で施工に時間が掛かる。その上、配管の通る穴を開ける必要から細いケーブルではケーブル径に比して大きな穴径を開ける場合もあり、壁面の美観を大きく損ない易い。また、作業が複雑であるので作業スペースの関係から壁の端や天井から一定の距離をとる必要があり、これも美観を損ねる原因となる。
【０００５】
本発明は上記の事情に鑑みてなされたもので、穴を開ける作業と配管の設置作業を同時に行うことにより、通線用管路の設置が簡略化されることで作業時間を短縮でき、施工コストを低下することができ、また施工に必要なスペースをより小さくすることができるので、壁の端に近い場所への施工が可能になり美観を向上させる細径ケーブル用壁貫通配管の敷設工法及び工具を提供することを目的とする。
【課題を解決するための手段】
【０００６】
上記目的を達成するために本発明は、壁に開けた穴に細径ケーブル用配管を敷設する細径ケーブル用壁貫通配管の敷設工法において、先端が尖った穿孔部と後端の頭部との間に管路部が分離可能にして一体に設けられた敷設工具を壁に貫通するまで挿入する第１のステップと、前記第１のステップの後、前記穿孔部及び頭部を分離除去して前記管路部を壁内に残す第２のステップとを具備することを特徴とする。
【０００７】
また本発明は、前記第１のステップとして、頭部を打撃して敷設工具を壁に貫通するまで挿入し、前記第２のステップとして、壁内に残した管路部の両端開口部を径が大きくなるように広げることを特徴とする。
【０００８】
また本発明は、前記第１のステップとして、穿孔部の先端部及び管路部の外周に設けた雄ネジを壁に貫通するまで螺入することを特徴とする。
【０００９】
また本発明の細径ケーブル用壁貫通配管の敷設工具は、先端部が尖った軸の後端部にネジ部が設けられた穿孔部と、前記穿孔部の軸が挿入される筒状の管路部と、前記穿孔部のネジ部に螺入されるネジ部が設けられた頭部とを具備することを特徴とするものである。
【００１０】
また本発明の細径ケーブル用壁貫通配管の敷設工具は、軸の先端部に設けられ、円錐体の外周に雄ネジが設けられた穿孔部と、前記穿孔部の軸に回転できないように挿入され、外周に雄ネジが設けられた筒状の管路部と、前記穿孔部の軸の後端部に回転できないように取り付けられる頭部とを具備することを特徴とするものである。
【発明の効果】
【００１１】
本発明の細径ケーブル用壁貫通配管の敷設工法及び工具は、穴を開ける作業と配管の設置作業を同時に行うことにより、通線用管路の設置が簡略化されることで作業時間を短縮でき、施工コストを低下することができ、また施工に必要なスペースをより小さくすることができるので、壁の端に近い場所への施工が可能になり美観を向上させる。上記のように壁の穴径を従来より小さくすることで壁面の美観を向上させることができる。
【発明を実施するための最良の形態】
【００１２】
以下図面を参照して本発明の実施の形態例を詳細に説明する。
図１は本発明の実施形態例に係る敷設工具の一例を示す分解斜視図であり、図２は本発明の実施形態例に係る敷設工具の一例を示す斜視図である。図１に示すように、穿孔部１０を構成する円柱状の軸１１の先端部には先が尖った円錐体部１２が一体に設けられる。前記円錐体部１２の後端部は軸１１より径が大きく形成され、軸１１の周囲に徐々に肉厚にされた凹部１３が設けられる。前記軸１１の後端部には雄ネジ１４が設けられる。前記軸１１に挿入される筒状の管路部１５には両端部にそれぞれ徐々に肉薄にしたテーパ部１６、１７が設けられる。前記軸１１の後端部が接続される頭部１８は矩形板１９の一方の面に円筒状の接続部２０を一体に設けて構成され、前記接続部２０の内面には雌ネジ２１が設けられる。前記接続部２０の開口部には前記テーパ部１７を挿入する徐々に肉厚にされたテーパ穴２２が設けられる。
【００１３】
すなわち、図２に示すように、穿孔部１０の軸１１を管路部１５に挿入し、管路部１５のテーパ部１６を円錐体部１２の凹部１３に嵌合する。その後、軸１１の雄ネジ１４を頭部１８の雌ネジ２１に螺入し、管路部１５のテーパ部１７を頭部１８のテーパ穴２２に嵌合する。したがって、穿孔部１０、管路部１５及び頭部１８は一体に構成される。
【００１４】
図３〜図５は本発明の実施形態例に係る敷設工法の一例を示す説明図である。すなわち、図３に示すように、穿孔部１０、管路部１５及び頭部１８が一体に構成された敷設工具の穿孔部１０の先端を壁３１に垂直に当て、頭部１８を金槌３２で打撃することにより、前記敷設工具を壁３１に貫通するまで挿入する。その後、図４に示すように、穿孔部１０及び頭部１８を分離除去し、管路部１５を壁３１中に残す。その後、図５に示すように、壁３１中に残した管路部１５の両端開口部にそれぞれ対応して円錐状治具３３を当て金槌３２で打撃することにより、管路部１５の両端の肉厚の薄くなっている開口部を径が大きくなるように広げて、抜け落ちを防止する。この状態で通線用管路が形成されるので、前記通線用管路に光ケーブル等の配線を通して施工作業は終了する。尚、穿孔部１０及び頭部１８は複数回利用することが可能である。
【００１５】
この実施形態例では穿孔部１０、管路部１５及び頭部１８を複数種類用意し、光ケーブルに必要な管路内径及び施工する壁の厚さによって適正に穿孔部１０、管路部１５及び頭部１８を選択することで、従来の技術に比べて簡易且つ穴径の小さい施工が可能である。
【００１６】
図６は本発明の実施形態例に係る敷設工具の他の例を示す分解斜視図である。図６に示すように、穿孔部４０を構成する円柱状の軸４１の先端部には先が尖った円錐体部４２が一体に設けられ、前記円錐体部４２の外周には螺旋状の雄ネジ４３が一体に設けられる。前記円錐体部４２の後端部は軸４１より径が大きく形成され、軸４１の周囲には徐々に肉厚にされた凹部４４が設けられる。前記円錐体部４２の凹部４４内にはキー溝４５が設けられる。前記軸４１に挿入される筒状の管路部４６には両端部にそれぞれ徐々に肉薄にしたテーパ部４７、４８が設けられ、前記テーパ部４７、４８には突起部よりなるキー４９、５０が設けられる。前記管路部４６外周には螺旋状の雄ネジ５１が一体に設けられる。前記軸４１の後端部が接続される頭部５２は円形板５３の一方の面に円筒状の接続部５４を一体に設けて構成され、前記接続部５４の開口部には前記テーパ部４８が挿入される徐々に肉厚にされたテーパ穴５５が設けられ、前記テーパ穴５５内にはキー溝５６が設けられる。前記頭部５２の円形板５３の他方の面にはネジ回し用ドライバが挿入されるドライバ溝５７が設けられる。
【００１７】
すなわち、穿孔部４０の軸４１を管路部４６に挿入し、管路部４６のテーパ部４７を円錐体部４２の凹部４４に嵌合すると共にキー４９をキー溝４５に挿入する。その後、軸４１の後端部を頭部５２の接続部５４に挿入し、管路部４６のテーパ部４８を頭部５２のテーパ穴５５に挿入し、キー５０をキー溝５６に挿入する。したがって、穿孔部４０、管路部４６及び頭部５２は一体に構成される。
すなわち、穿孔部４０、管路部４６及び頭部５２が一体に構成された敷設工具の穿孔部４０の先端を壁に垂直に当て、木ネジの要領で頭部５２をドライバで押し回すことにより、雄ネジ４３、５１がガイドの役割をして前記敷設工具を壁に貫通するまで螺入する。この場合、キー４９、５０及びキー溝４５、５６の係合によって加わるトルクが十分に伝わる。その後、穿孔部４０及び頭部５２を分離除去し、管路部４６を壁中に残すと、雄ネジ５１が壁に食い込んでいるので抜け落ち防止となり、この状態で通線用管路が形成されていることになる。前記通線用管路に光ケーブル等の配線を通して施工作業は終了する。尚、穿孔部４０及び頭部５２は複数回利用することが可能である。
【００１８】
この実施形態例では穿孔部４０、管路部４６及び頭部５２を複数種類用意し、光ケーブルに必要な管路内径及び施工する壁の厚さによって適正に穿孔部４０、管路部４６及び頭部５２を選択することで、従来の技術に比べて簡易且つ穴径の小さい施工が可能である。
【００１９】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００２０】
【図１】本発明の実施形態例に係る敷設工具の一例を示す分解斜視図である。
【図２】本発明の実施形態例に係る敷設工具の一例を示す斜視図である。
【図３】本発明の実施形態例に係る敷設工法の一例を示す説明図である。
【図４】本発明の実施形態例に係る敷設工法の一例を示す説明図である。
【図５】本発明の実施形態例に係る敷設工法の一例を示す説明図である。
【図６】本発明の実施形態例に係る敷設工具の他の例を示す分解斜視図である。
【符号の説明】
【００２１】
１０…穿孔部、１１…軸、１２…円錐体部、１３…凹部、１４…雄ネジ、１５…管路部、１６…テーパ部、１７…テーパ部、１８…頭部、１９…矩形板、２０…接続部、２１…雌ネジ、２２…テーパ穴。
【図１】
2006177465.tif 000003
【図２】
2006177465.tif 000004
【図３】
2006177465.tif 000005
【図４】
2006177465.tif 000006
【図５】
2006177465.tif 000007
【図６】
2006177465.tif 000008